(57)【要約】【課題】より確実にメス端子をオス端子へ嵌合させながら、内部への異物の侵入を抑制する。【解決手段】ハウジングは、下方が開口した箱形形状で、側面の内側に上面と間隙をもってメス端子が取り付けられ、上面のメス端子に対応する位置に孔が形成された第１部材と、第１部材の側面を外側から囲む第２部材と、を有し、第１部材は、第２部材に上下方向において揺動可能に取り付けられている、コネクタにおいて、第１部材の上面とメス端子との間隙に上面およびメス端子と摺動可能に配置され、第１部材の孔から遠い端部でメス端子と干渉しない位置に下方へ凸となり孔へ向かうほど高さが高くなる突起が形成された板状のシャッター部材、を備え、ハウジングの第２部材には、上に凸となり、シャッター部材の突起の先端部に当接する凸部が形成されている。【選択図】図２
2020145098.tif 000002
【特許請求の範囲】
【請求項１】
メス端子と、
前記メス端子を収容するハウジングと、
を備え、
前記メス端子を対応するオス端子に挿入して嵌合させることにより前記メス端子と前記オス端子との間を導通させるコネクタであって、
前記ハウジングは、
下方が開口した箱形形状で、側面の内側に上面と間隙をもって前記メス端子が取り付けられ、前記上面の前記メス端子に対応する位置に孔が形成された第１部材と、
前記第１部材の側面を外側から囲む第２部材と、
を有し、
前記第１部材は、前記第２部材に上下方向において揺動可能に取り付けられている、
コネクタにおいて、
前記第１部材の前記上面と前記メス端子との間隙に前記上面および前記メス端子と摺動可能に配置され、前記第１部材の前記孔から遠い端部で前記メス端子と干渉しない位置に下方へ凸となり前記孔へ向かうほど高さが高くなる突起が形成された板状のシャッター部材、
を備え、
前記ハウジングの前記第２部材には、上に凸となり、前記シャッター部材の前記突起の先端部に当接する凸部が形成されている、
コネクタ。
【発明の詳細な説明】
【技術分野】
【０００１】
本発明は、コネクタに関する。
【背景技術】
【０００２】
従来、この種のコネクタとしては、上部が開口し底部に端子（コンタクト）を有するコンタクトモジュールを受け入れて支持するコンタクトモジュール支持部を有するハウジングと、ハウジングの上部の開口を覆う蓋部（シャッター）と、を備えるものが提案されている（例えば、特許文献１参照）。このコネクタでは、閉じた蓋部が、コンタクトモジュールを有するプラグコネクタの挿入に伴って観音開きになり、開口はプラグコネクタにより塞がれる。これにより、塵埃や異物等がコネクタへ進入することを抑制している。
【先行技術文献】
【特許文献】
【０００３】
【特許文献１】特開２００７−１３４２２７号公報
【発明の概要】
【発明が解決しようとする課題】
【０００４】
しかしながら、上述のコネクタでは、プラグコネクタが挿入されると、プラグコネクタとの端子との嵌合を視認できなくなるため、コネクタの端子同士を確実に嵌合できていない状態でコネクタが使用されることがある。
【０００５】
本発明のコネクタは、より確実にメス端子をオス端子へ嵌合させると共に、内部への異物の侵入を抑制することを主目的とする。
【課題を解決するための手段】
【０００６】
本発明のコネクタは、上述の主目的を達成するために以下の手段を採った。
【０００７】
本発明のコネクタは、
メス端子と、
前記メス端子を収容するハウジングと、
を備え、
前記メス端子を対応するオス端子に挿入して嵌合させることにより前記メス端子と前記オス端子との間を導通させるコネクタであって、
前記ハウジングは、
下方が開口した箱形形状で、側面の内側に上面と間隙をもって前記メス端子が取り付けられ、前記上面の前記メス端子に対応する位置に孔が形成された第１部材と、
前記第１部材の側面を外側から囲む第２部材と、
を有し、
前記第１部材は、前記第２部材に上下方向において揺動可能に取り付けられている、
コネクタにおいて、
前記第１部材の前記上面と前記メス端子との間隙に前記上面および前記メス端子と摺動可能に配置され、前記第１部材の前記孔から遠い端部で前記メス端子と干渉しない位置に下方へ凸となり前記孔へ向かうほど高さが高くなる突起が形成された板状のシャッター部材、
を備え、
前記ハウジングの前記第２部材には、上に凸となり、前記シャッター部材の前記突起の先端部に当接する凸部が形成されている、
ことを要旨とする。
【０００８】
この本発明のコネクタでは、ハウジングの上面のメス端子に対応する位置に孔が形成されているから、メス端子をオス端子へ挿入する際に、ユーザは、ハウジングの第１部材の孔からメス端子がオス端子へ適正に挿入されているか否かを視認できる。したがって、ハウジングの第１部材の上面にこうした孔が形成されていないものに比して、より確実にメス端子をオス端子へ挿入することができる。また、ハウジングの第１部材は、第２部材に対して上下方向で揺動可能に取り付けられており、コネクタのメス端子をオス端子へ挿入した後に、ハウジングの第１部材を下方に押圧すると、シャッター部材の突起の先端部に当接しているハウジングの第２部材の凸部が、シャッター部材を押圧する。ハウジングの第２部材の凸部に押圧されたシャッター部材は孔の方向へ摺動し、孔を閉塞する。これにより、孔からの異物の侵入を抑制できる。この結果、より確実にメス端子をオス端子へ嵌合させると共に、内部への異物の侵入を抑制できる。
【図面の簡単な説明】
【０００９】
【図１】本発明の一実施例としてのコネクタ２０の構成の概略を示す分解斜視図である。
【図２】コネクタ２０の図１のＡＡ線の断面の概略を示す断面図である。
【図３】コネクタ２０とオス端子１０とが嵌合しているときにおけるコネクタ２０の図１のＡＡ線の断面の概略を示す断面図である。
【図４】変形例のシャッター部材１４０の外観の一例を示す外観図である。
【図５】変形例のコネクタ２２０の要部の構成の概略を示す分解斜視図である。
【図６】変形例のシャッター部材３４０の構成の概略を示す断面図である。
【図７】変形例のシャッター部材４４０の構成の概略を示す断面図である。
【発明を実施するための形態】
【００１０】
次に、本発明を実施するための形態を実施例を用いて説明する。
【実施例】
【００１１】
図１は、本発明の一実施例としてのコネクタ２０の構成の概略を示す分解斜視図である。図２は、コネクタ２０の図１のＡＡ線の断面の概略を示す断面図である。図３は、コネクタ２０とオス端子１０とが嵌合しているときにおけるコネクタ２０の図１のＡＡ線の断面の概略を示す断面図である。コネクタ２０は、金属で形成されておりオス端子１０と嵌合可能に構成されており、３つのメス端子２２と、ハウジング３０と、シャッター部材４０と、を備える。
【００１２】
３つのメス端子２２は、ハウジング３０に収納されており、下方へ開口しオス端子１０を嵌合可能な凹部が形成された嵌合部２４と、下方へ開口しハウジング３０の対応する嵌合部材３６と嵌合可能な凹部が形成された嵌合部２６と、を備えている。嵌合部２４は、内側壁部に突起２４ａを備えており、外部の電子機器と電気的に接続されるリード線が埋め込まれている。嵌合部２４は、オス端子１０が挿入されたときにオス端子１０により突起２４ａが若干外側へ押し広げられる程度の弾性を有するように形成されている。嵌合部２６は、内側壁部に突起２６ａを備えている。嵌合部２６は、嵌合部材３６が挿入されたときに嵌合部材３６により突起２６ａが若干外側へ押し広げられる程度の弾性を有するように形成されている。
【００１３】
ハウジング３０は、第１部材３２と、第２部材３４と、を備える。第１部材３２は、下方が開口した箱形形状で、側面３２ａの内側に上面３２ｂと間隙をもってメス端子２２が取り付けられている。第１部材３２は、上面の３つのメス端子２２の嵌合部２４に対応する位置に嵌合部２４が外側から視認可能となるように長孔３２ｃが形成されている。第１部材３２は、第２部材３４に上下方向において揺動可能に取り付けられている。第２部材３４は、第１部材３２の側面３２ａ，３２ｄを含む４つの側面を外側から囲む形状に形成されており、３つのメス端子２２と嵌合する３つの嵌合部材３６が取り付けられている。第２部材３４には、上に凸でシャッター部材４０の後述する２つの突起４０ａの斜面４０ｓの先端部に当接する２つの凸部３４ａが形成されている。
【００１４】
シャッター部材４０は、板状に形成されており、第１部材３２の上面３２ｂとメス端子２２との間隙に配置されている。シャッター部材４０は、上面３２ｂとメス端子２２との間で保持されており、水平方向（図２の左右方向）へ静止摩擦力を超える力が作用することで上面３２ｂとメス端子２２との間を水平方向において摺動する。なお、図２の奥行き方向において、シャッター部材４０の両端は第１部材３２と当接してる。そのため、水平方向（図２の左右方向）へ静止摩擦力を超える力が作用したときに、図２の奥行き方向に対する動きが第１部材３２により規制されている。シャッター部材４０は、第１部材３２の長孔３２ｃから遠い端部であってメス端子２２と干渉しない位置に、下方へ凸となり長孔３２ｃに向かうほど高さが高くなる突起４０ａが形成されている。
【００１５】
こうして構成されたコネクタ２０では、コネクタ２０を図２において下降させて嵌合部２４にオス端子１０が挿入されると、オス端子１０は突起２４ａを若干外側に押し広げながら嵌合部２４へ進入する。そして、オス端子１０の先端が嵌合部２４に当接すると、図３に示すように、オス端子１０は、突起２４ａにより支持されて嵌合部２４と嵌合した状態となると共に、嵌合部２４に埋め込まれたリード線に接続される。これにより、メス端子２２とオス端子１０とが導通する。突起２４ａによるオス端子１０の支持は緩やかで、コネクタ２０をオス端子１０から離間する方向（図１における上方向）へ引き上げると、オス端子１０は突起２４ａを摺動しながら嵌合部２４から離脱し、オス端子１０のリード線との接続が解除される。これにより、メス端子２２とオス端子１０との導通が解除される。
【００１６】
メス端子２２をオス端子１０へ挿入する際に、ユーザは、ハウジング３０の第１部材３２の長孔３２ｃからメス端子２２がオス端子１０へ適正に挿入されているか否かを視認できる。したがって、ハウジング３０の第１部材３２の上面３２ｂにこうした長孔３２ｃが形成されていないものに比して、より確実にメス端子２２をオス端子１０へ挿入することができる。
【００１７】
また、ハウジング３０の第１部材３２は、第２部材３４に対して上下方向で揺動可能に取り付けられており、コネクタ２０のメス端子２２をオス端子１０へ挿入した後に、ハウジング３０の第１部材３２を下方に押圧すると、シャッター部材４０の突起４０ａの先端部に当接しているハウジング３０の第２部材３４の凸部３４ａが、シャッター部材４０を図２における左方向へ押圧する。シャッター部材４０は長孔３２ｃの方向（図３の太線→の方向）へ摺動し、長孔３２ｃを閉塞する。これにより、長孔３２ｃからの異物の侵入を抑制できる。これにより、より確実にメス端子２２をオス端子１０へ嵌合させると共に、長孔３２ｃからの異物の侵入を抑制できる。
【００１８】
以上説明した実施例のコネクタ２０によれば、下方が開口した箱形形状で、側面３２ａの内側に上面３２ｂと間隙をもってメス端子２２が取り付けられ、上面３２ｂのメス端子２２に対応する位置に長孔３２ｃが形成された第１部材３２と、第１部材３２の側面を外側から囲む第２部材３４と、を有するハウジングを備え、第１部材３２を、第２部材３４に上下方向において揺動可能に取り付け、第１部材３２の上面３２ｂとメス端子２２との間隙に上面３２ｂおよびメス端子２２と摺動可能に配置され、第１部材３２の長孔３２ｃから遠い端部でメス端子２２と干渉しない位置に下方へ凸となり長孔３２ｃへ向かうほど高さが高くなる突起４０ａが形成された板状のシャッター部材４０を備え、ハウジング３０の第２部材３４には、上に凸となり、シャッター部材４０の突起４０ａの先端部に当接する凸部３４ａを形成することにより、より確実にメス端子２２をオス端子１０へ嵌合させると共に、長孔３２ｃからの異物の侵入を抑制できる。
【００１９】
実施例のコネクタ２０では、シャッター部材４０に２つの突起４０ａを形成している。しかしながら、図４の変形例のシャッター部材１４０に例示するように、シャッター部材１４０に奥行き方向に延在する１つの突起１４０ａを形成してもよい。また、図５の変形例のコネクタ２２０に例示するように、突起２４０ａを有する３つのシャッター部材２４０を備えていてもよいい。この場合、第２部材３４に３つの突起２４０ａに対応する３つの凸部２３４ｃを形成すればよい。
【００２０】
実施例のコネクタ２０では、シャッター部材４０は、第１部材３２の上面３２ｂとメス端子２２との間で保持されている。しかしながら、図６の変形例のコネクタ３２０に例示するように、シャッター部材３４０の長孔３２ｃに近い端部と第１部材３２の側面３２ｄとの間であって、メス端子２２と干渉しない位置に、シャッター部材３４０を長孔３２ｃから離れる方向へ付勢するバネ部材３５０を設けてもよい。この場合、シャッター部材３４０が凸部３４ａによる押圧されるとバネ部材３５０が縮み、長孔３２ｃの大部分がシャッター部材３４０により閉塞される。また、図７の変形例のコネクタ４２０に例示するように、シャッター部材４４０の上面に内部に収容可能な突起４４２を設け、第１部材４３２の上面４３２ｂに突起４４２に嵌合する凹部４３２ｄを設けてもよい。突起４４２は、シャッター部材４４０が凸部３４ａに押圧されて長孔４３２ｃへ近づく方向へ摺動する際にシャッター部材４４０内に収容される。こうすれば、シャッター部材３４０，４４０の初期位置を規定することができ、より確実にメス端子２２とオス端子１０とを視認可能とすることができる。
【００２１】
実施例のコネクタ２０では、ハウジング３０の第１部材３２の上面３２ｂの３つのメス端子２２の嵌合部２４に対応する位置に外側から嵌合部２４が視認可能となるように長孔３２ｃが形成されている。しかしながら、３つのメス端子２２の嵌合部２４が外側から視認可能となるようにハウジング３０の第１部材３２の上面３２ｂに孔が形成されていればよいから、例えば、１つの長孔３２ｃに代えて、３つのメス端子２２の嵌合部２４に対応する位置に外側から嵌合部２４が視認可能となるように３つの孔を設けてもよい。
【００２２】
実施例のコネクタ２０では、３つのメス端子２２を備えるものとしたが、メス端子の個数は対応するオス端子の個数に応じて適宜変更してもよい。
【００２３】
実施例の主要な要素と課題を解決するための手段の欄に記載した発明の主要な要素との対応関係について説明する。実施例では、メス端子２２が「メス端子」に相当し、ハウジング３０が「ハウジング」に相当し、オス端子１０が「オス端子」に相当し、第１部材３２が「第１部材」に相当し、第２部材３４が「第２部材」に相当し、シャッター部材４０が「シャッター部材」に相当する。
【００２４】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００２５】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００２６】
本発明は、コネクタの製造産業などに利用可能である。
【符号の説明】
【００２７】
１０ オス端子、２０，２２０，３２０，４２０  コネクタ、２２  メス端子、２４，２６  嵌合部、２４ａ，２６ａ，４０ａ，１４０ａ，２４０ａ，４４２  突起、３０  ハウジング、３２，４３２  第１部材、３２ａ，３２ｄ  側面、３２ｂ，４３２ｂ  上面、３２ｃ，４３２ｃ  長孔、３４  第２部材、３４ａ，２３４ｃ  凸部、３６  嵌合部材、４０，１４０，２４０，３４０，４４０  シャッター部材、３５０  バネ部材、４３２ｄ  凹部。
【図１】
2020145098.tif 000003
【図２】
2020145098.tif 000004
【図３】
2020145098.tif 000005
【図４】
2020145098.tif 000006
【図５】
2020145098.tif 000007
【図６】
2020145098.tif 000008
【図７】
2020145098.tif 000009